(57)【要約】【課題】  単一のデジタルカメラ用の迅速装着中央摺動プレート（１）の形態の立体アダプタ、及び整準ジャッキ（１０）、水準器（１６）、及び人間の両眼の中心間の平均距離と同様の０ｍｍと５５ｍｍとの間のデッドエンドストップを組み込んだ案内体軌道アダプタ（３）を提供する。【解決手段】  このポケットサイズの汎用アダプタは、景色又は対象物の非常に高品質のスチル画像対を誰でも更に容易に手早く且つ簡単に撮影するため、デジタルカメラとともに使用するようになっている。本発明は、一方が所期の対象物の左画像であり且つ他方が同じ景色又は対象物の右画像である画像の立体対の撮影を補助する。次いで、これらの二つの画像対をコンピュータにダウンロードでき及び／又は印刷装置によって紙に印刷でき、又は任意の所望の立体フォーマット、アナグリフフォーマット、又は走査視認フォーマットで見ることができる。
2006518156.tif 000002
【特許請求の範囲】
【請求項１】
３Ｄ写真を撮影するためのカメラアダプタ装置において、
デッドエンドストップを形成する凹所を持ち、三脚台に取り付けるための機構を備えた案内軌道と、
前記凹所内で実質的に前後方向だけに摺動するようになった摺動プレートと、
標準的なカメラ取り付け用外ねじを持つ、前記摺動プレートに組み立てられるようになったボルト機構と
前記摺動プレートに固定されたカメラを軌道案内体に迅速に係止し、前記カメラを前記軌道案内体から解放するようになった機構と
を含む、装置。
【請求項２】
請求項１に記載の装置において、前記軌道案内体を整準するための整準機構を更に含む、装置。
【請求項３】
請求項２に記載の装置において、前記整準機構は、前記軌道案内体に前記凹所の底部と平行に固定された整準ジャッキ及び水準器のうちの少なくとも一方である、装置。
【請求項４】
請求項３に記載の装置において、前記軌道案内体の各底隅部に設けられた雌ねじ穴と係合するようになった雄ねじ部分を持つ複数の整準ジャッキが設けられている、装置。
【請求項５】
請求項１に記載の装置において、前記軌道案内体を前記三脚台に取り付けるための機構は、前記ボルト機構と同じねじ山を持つ雌ねじ穴である、装置。
【請求項６】
請求項１に記載の装置において、前記摺動プレートに固定された前記カメラを前記軌道案内体に迅速に係止し、前記カメラを前記軌道案内体から解放するようになった前記機構は、迅速係止円筒体である、装置。
【請求項７】
請求項６に記載の装置において、前記摺動プレートは、前記迅速係止円筒体と係合し解放するようになった前リップを含む、装置。
【請求項８】
請求項７に記載の装置において、前記摺動プレートは、０ｍｍ乃至５５ｍｍ離れた保持位置で係合できる、装置。
【請求項９】
立体的３Ｄ写真をカメラで形成するためのシステムにおいて、
デッドエンドストップを形成する凹所を持つ案内軌道と、
左画像及び右画像を撮影するため、前記凹所内で実質的に前後方向だけに摺動するようになった、カメラに固定するための摺動プレートと、
前記左画像及び前記右画像に異なる色を付けた後、これらを組み合わせ、３Ｄ眼鏡で見ることができる単一の３Ｄ画像にするコンピュータソフトウェアと
を含む、システム。
【請求項１０】
請求項９に記載のシステムにおいて、前記案内機構は、前記摺動プレートに固定された前記カメラを案内軌道に迅速に係止し、前記カメラを前記案内軌道から解放するようになった機構を更に含む、システム。
【請求項１１】
デジタルカメラ、コンピュータ、及びカラープリンターで使用するための、３Ｄ写真を形成できるキットにおいて、
デッドエンドストップを形成する凹所を持つ案内軌道と、
左画像及び右画像を撮影するため、前記凹所内で実質的に前後方向だけに摺動するようになった、カメラに固定するための摺動プレートと、
前記左画像及び前記右画像に異なる色を付けた後、これらを組み合わせ、３Ｄ眼鏡で見ることができる単一の３Ｄ画像にするコンピュータソフトウェアと、
３Ｄ眼鏡と
を含む、キット。
【請求項１２】
請求項１１に記載のキットにおいて、三脚台を更に含む、キット。
【請求項１３】
後押縁を持つ実質的に平らなベースプレートを含む、立体的３Ｄ写真を撮影するためのカメラアダプタ装置において、
前記ベースプレートにその後押縁に沿って摺動自在に取り付けられた摺動案内体を有し、この摺動案内体は、前記ベースプレートの平面に対して垂直な面を有し、前記装置は、人間の両眼の間のほぼ最大距離のところに右端ストップ及び左端ストップを有する、装置。
【請求項１４】
請求項１３に記載の装置において、前記最大距離は６５ｍｍである、装置。
【請求項１５】
請求項１３に記載の装置において、前記ベースプレートの底部に取り付けられた滑り止め材料を更に含む、装置。
【請求項１６】
請求項１５に記載の装置において、前記滑り止め材料はゴム又はコルクである、装置。
【請求項１７】
請求項１３に記載の装置において、距離目盛りを更に含み、これは前記ベースプレートに設けられている、装置。
【請求項１８】
請求項１３に記載の装置において、水準器を更に含む、装置。
【請求項１９】
請求項１３に記載の装置において、三脚台を取り付けるための機構を更に含む、装置。
【請求項２０】
請求項１９に記載の装置において、前記機構は標準的カメラ取り付け雌ねじである、装置。
【請求項２１】
互いに関して回転するように配置された頂部材プレート、中間部材プレート、及び底部材プレートを含む、立体的３Ｄ写真を撮影するためのカメラアダプタ装置において、
底プレートに設けられた、前記アダプタを三脚台又は一脚台に固定するための機構と、
前記頂プレートに設けられた、カメラに取り付けるための機構と
を備え、
前記カメラのレンズは、前記中間プレートの回転後、左眼位置及び右眼位置で同じ方向に向けられる、装置。
【請求項２２】
請求項２１に記載の装置において、左右移動を制限するようになったマクロプレートを更に含む、装置。
【請求項２３】
請求項２１に記載の装置において、前記中間プレートは、左から右まで半円形の円弧経路内で旋回し、取り付けられたカメラのレンズを右眼位置から左眼位置まで移動する、装置。
【請求項２４】
請求項２１に記載の装置において、前記装置は、カメラをほぼ人間の両眼の間の距離である横方向距離だけ移動するようになっている、装置。
【請求項２５】
請求項２４に記載の装置において、前記横方向距離は約６．５ｃｍである、装置。
【請求項２６】
請求項２１に記載の装置において、前記中間プレートは、左眼位置と右眼位置との間の横方向距離が最大２０ｃｍであるように選択される、装置。
【請求項２７】
請求項２１に記載の装置において、左眼位置と右眼位置との間の横方向距離は、中間部材プレートの直径を変化させることによって選択できる、装置。
【発明の詳細な説明】
【技術分野】
【０００１】
本発明は、立体写真法、及び任意の単眼デジタルカメラを使用することによるデジタル化した写真画像の適合対の撮影に関する。これらの画像は二つの別々のファイルに保存される。一方のファイルは所期の対象物の右画像用であり、別のファイルは左画像用である。次いで、これらの二つの画像を組み合わせ、平行視、交差視等の様々な３Ｄフォーマットで、手持ち式ビューワーで、アナグリフ又は液晶シャッター眼鏡で、又はレンチキュラーシート視認で、又は更に詳細には景色又は対象物のデジタル画像の立体対を正確に撮影するためのデジタルカメラ案内軌道装置で見ることができる。
【背景技術】
【０００２】
代表的には、立体カメラは、対象物の左画像及び右画像の対を一度に撮影し、これらの二つの画像をスライド用の一つのフィルムストリップに撮影する。このようなカメラは旧式であり、便利さ、使用の容易性、及びデジタルカメラの経済性に寄与しない。このような立体デジタルカメラは今日存在しておらず、そのため、単眼デジタルカメラによって左デジタル画像及び右デジタル画像を容易に撮影できる新たな摺動機構を形成することが重要である。
【０００３】
様々な装置の幾つかの特許は、景色又は対象物の左画像及び右画像を撮影する性能を提供するように設計されている。これは、１９９７年１月１０日に付与された米国特許第５，８０９，３５５号、１９８８年８月３０日に付与された米国特許第４，７６８，０４９号、１９５７年５月に付与された米国特許第２，７９１，９５０号、１９４２年４月に付与された米国特許第２，２７９，４４３号、１９２１年３月１５日に付与された米国特許第１，３７１，４３９号、及び１９０２年１１月１１日に付与された米国特許第７１３，１７７号に教示されている。同じ景色や対象物の夫々の画像を、カメラが左右の写真撮影位置にあるとき、一対の隣接したフィルムフレームに順次露光する通常の単眼カメラを使用できる。左右の写真撮影位置間の適当な距離は、適当な立体ビューワーを通して一緒に見たときに元の景色や対象物の立体３Ｄ画像を示す画像の適合対が得られるように選択される。これらは全て、カメラ用三脚台が用いられ、代表的には、カメラを左右の写真撮影位置に配置するための二つの予備設定位置を有する。
【特許文献１】米国特許第５，８０９，３５５号
【特許文献２】米国特許第４，７６８，０４９号
【特許文献３】米国特許第２，７９１，９５０号
【特許文献４】米国特許第２，２７９，４４３号
【特許文献５】米国特許第１，３７１，４３９号
【特許文献６】米国特許第７１３，１７７号  更に、この他の摺動プレートは作動が緩慢過ぎ、対象物の左右の画像を単一のカメラで撮影する。これは、単一のカメラで立体ポートレート写真を撮影する場合には行うのが特に難しい。これは、使用者がレリーズを押し、次いでシフトした後、カメラを右から左に係止するまで長時間に亘って静止していることが人間にとって困難であるためである。これには、新規で良好で迅速な方法が必要とされる。
【発明の開示】
【発明が解決しようとする課題】
【０００４】
本発明は、一つの単眼デジタルレンズを、予備設定位置のリストから選択されるべき二つの左右位置の各々に正確に位置決めできる、立体デジタルカメラ摺動プレート−軌道案内装置に関する。次いで、景色又は対象物の二つの個々のデジタル写真を撮影し、デジタルカメラの記憶メディアに記憶し、これをコンピュータや適当なプリンターにダウンロードする。
【課題を解決するための手段】
【０００５】
本プロセスでは、マクロレンズ、ズームレンズ、及び広角レンズのいずれを使用してもよい。立体デジタルカメラ装置は、主として、デジタルカメラの底部に取り付けるためのボルトが設けられた摺動プレート、及び三脚台に取り付けるための手段が設けられた適合する軌道案内体を含むが、軌道案内体の四隅に配置された四つの支持整準ジャッキを用いることにより、三脚台を使用せずに整準を行うこともできる。軌道案内体は、更に、整準プロセスを補助し、デジタル写真の正確な立体対を形成するための水準器を備えている。この立体装置は、極めて小型で高度に機能的で極めて使用が容易であるように設計されている。
【０００６】
親指で作動する迅速係止／迅速解放円筒体は、写真の撮影時に摺動プレート及びこれに取り付けられたカメラを所定位置に迅速に係止し、いずれの方向にも摺動しないように停止するための独特の方法である。この機構により、使用者は、所期の対象物からの距離又はレンズの種類又は使用されるズーム機能に応じて設定位置を自由に選択できる。
【０００７】
本発明について更に独特であるのは、デジタルカメラ及びこれに取り付けられた摺動プレートを容易に配置できるということである。これは、先ず最初に摺動プレートの前側を所定角度に傾けて案内軌道の係止円筒体の下に位置決めした後、案内軌道上の中央にスナップ嵌めすることによって行われる。この機構により、左右の端部は、不履行左右位置についての自動停止点を案内軌道上に提供できる。これらの点では、これらの端部は両方とも閉鎖されており、そのため左右の写真を繰り返し正確に、記録時間において極めて迅速に撮影できる。このため、本発明は、人間のポートレート写真についてこれまで形成されたうちの最良の立体単一デジタル又はＳＬＲアダプタであり、静止していなければならない時間が極めて短い。
【０００８】
本発明の別の実施例は、カメラの底部に三脚台用のねじ山を備えたソケットを必要としない。これにより、本発明は、三脚台用ソケットを備えていない使い捨てカメラや非常に小型のデジタルカメラで使用できる。
【０００９】
本発明の更に別の実施例は、第１の実施例と同じ機能を備えているが、更に軽量でコンパクトである。これは、左右の位置間の距離を制御するためにギヤ及びスイベルを使用する。
【発明を実施するための最良の形態】
【００１０】
【実施例１】
【００１１】
先ず最初に図１及び図２を参照すると、これらの図には汎用立体デジタルカメラアダプタの最もよい使用方法が示してある。
三脚台とともに使用するため、使用者は、先ず最初に、図２で案内軌道の底部中央に配置された標準的ねじ式ソケット７を使用して案内軌道３を取り付ける。次いで、三脚台に設けられた標準的ボルトをねじ式ソケットにきつくねじ込んだ後、水準器１６を使用して三脚台を水平に整準する。水準器１６は、水準器ソケット１５を使用して案内軌道３に固定される。案内軌道３は、好ましくは、長さ×幅×高さが、１０ｃｍ×４ｃｍ×１．５ｃｍ乃至２０ｃｍ×５ｃｍ×２．５ｃｍである。
【００１２】
三脚台なしで使用するため、使用者は、写真を撮影する上で正しい適当な場所及び方向を提供する所望の表面に案内軌道３を置く。この場合、使用者は、整準ジャッキ１０を使用することにより、水準器１６を使用して案内軌道を整準する。整準が整準ジャッキの性能を越える非常に傾斜した表面については、整準ジャッキ１０を使用することは推奨されない。整準ジャッキ１０は案内軌道３の各隅部９に配置されている。
【００１３】
カメラのベースの底部に標準的ねじ式ソケットが設けられた任意のデジタルカメラを使用する場合、スライディングプレート１は、その中央の標準的取り付けねじ２によって、先ず最初に、ねじ式ソケットが配置されたカメラのベースの底部に螺着される（カメラは図示してない）。カメラの後方を差し示すプレート１４のスナップオン中心にカメラを取り付け、レンズを前方に向け、カメラの後側がスライディングプレート１の長さと平行になるようにねじを締め付ける。
【００１４】
デジタルカメラ及びスライディングプレート１の両方を案内軌道３の中心上に持っていく。スライディングプレート１をこれに取り付けられたカメラとともに案内軌道３上に配置するため、次いで、カメラ及びプレート１を前方に傾ける。これは、スライディングプレートの前側にある１／４円筒形部品を案内軌道３上の迅速係止円筒体４の直ぐ下のスロット状空間にスナップ嵌めするためである。次いで、デジタルカメラ及びスライディングプレート１を後側から案内軌道の中央を通って下ろす。ここで、スライディングプレート１４の後部分が案内軌道１３に設けられた中央後開口部に嵌着する。
【００１５】
この時点で、スライディングプレート１は、これに取り付けられたカメラとともに、案内軌道３と平行でなければならない。次いで、カメラを保持することにより、使用者はデジタルカメラをスライディングプレートによって左方に、デジタルカメラがストップに当たり、案内軌道上でもはやこれ以上移動できなくなるまで摺動し（これは、不履行予備設定左画像位置である）、次いで、使用者は所望の景色や対象物の左画像を撮影した後、デジタルカメラを右方に、デジタルカメラがストップに当たり、案内軌道３上で右方にもはやこれ以上移動できなくなるまで素早く摺動する。これは、不履行予備設定右画像位置である。使用者は、次いで、景色や対象物の右画像を撮影する。案内軌道本体３に設けられた印１１は、不履行左位置を示す。案内軌道本体３に設けられた対応する印１２は、不履行右位置を示す。装置上で前後に摺動するカメラの位置を図８に更に詳細に示す。
【００１６】
使用者が三脚台を備えた又は備えていない立体アダプタ及びカメラを位置から位置まで移動しようとする場合にアダプタ及びデジタルカメラがぴったりと取り付けられるように、例えばデジタルカメラが落下しないようにするための安全策として、使用者は、迅速係止円筒体４を下方に回すことができる。使用者は、彼の親指を上方から円筒体のノッチ５又は７に置き、同じ手の人指し指の側部を案内軌道の固定ノッチ６又は８の下に置き、親指を下方に及び人指し指を上方に捻り、デジタルカメラを軌道案内体上で固定位置にしっかりと固定し且つ係止する。デジタルカメラ及びスライディングプレートを軌道案内体から外すためには、逆方向に捻り戻すことによって行う。
【００１７】
左画像の写真の撮影後、使用者はカメラを軌道上で５５ｍｍの標準的距離よりも短い距離移動すると決定してもよい。５５ｍｍの距離が優れている。これは、人間の両眼の中心間の平均的な距離であるためである。使用者は、更に、対応する右画像を撮影するために任意の短い距離で停止することを決定してもよい。これは、カメラに非常に近接した、例えばレンズからの距離が２ｍ乃至２．５ｍ（６フィート乃至８フィート）の対象物の写真を撮影する場合に特に有用である。
【００１８】
図３は、スライディングプレート１アッセンブリの斜視図である。スライディングプレート前リップ１７は、係止円筒体４の下に容易に嵌着するように設計されている。
図４は、図３のスライディングプレート１アッセンブリの別の斜視図である。左後部から前側にかけて形成された円形窪み１８は、案内軌道３の左側に設けられた整準ジャッキ１０のケーシングにぴったりと嵌まるように形成されている。右後部から前側にかけて形成された円形窪み１９は、案内軌道３の右側に設けられた整準ジャッキ１０のケーシングにぴったりと嵌まるように形成されている。
【００１９】
図５は、ボルト機構２の一例を備えたスライディングプレート１の底面図である。図示の機構は、硬貨ねじ機構である。図６は、ボルト２の頂部を示す、スライディングプレート１の平面図である。
【００２０】
図７は、部品を互いに装着する方法を示す分解図である。係止円筒体４は、係止位置では、後側２０が底前側２１よりも薄くなっており、スライディングプレート１の前側に当たった状態で下方に捻ったときに厚くなる。係止円筒体４を案内軌道の左右の側部に装着する方法の一例を示す。この他の役立つ機構には、例えば、真鍮製の支持ロッド及び適当な締めつけばねが含まれる。
【００２１】
この場合、使用者は、画像の立体対をコンピュータ又はプリンターにダウンロードでき、３Ｄ立体対編集又はミキシングソフトウェアで、又はアドーブ社のフォトショップ（フォトショップ（ＰＨＯＴＯＳＨＯＰ）は登録商標である）等のプロ用写真編集機でこれらの画像を操作し、所望の立体視認フォーマット又はアナグリフ視認フォーマットを形成する。
【実施例２】
【００２２】
本発明の上述の実施例は、高品質の立体写真を撮影するため、カメラをスライドバー上で案内するためにカメラにねじ式ソケットが設けられていることを必要とする。これにより、フィルム式使い捨てカメラを購入した、又は三脚台用ねじ式ソケットが設けられていない新型の小型デジタルカメラを購入した非常に多くの消費者にとって、問題が生じる。こうした消費者にとって、高品質の左右の立体画像の撮影を補助する簡単で安価な装置は市販されていない。従って、この問題を解決し、三脚台用ねじ式ソケットを使用することによってカメラを装置に物理的に取り付ける必要なく、どんな消費者でも高品質の立体画像を撮影できるようにする、後押縁を持つ薄いプレート及び側案内体を持つ本発明の一態様を形成する必要があると思った。
【００２３】
この新たな立体装置は、平らな表面上で使用でき、そして三脚台とともに使用してもよいが、多くの初心者や旅行用カメラの使用者が必ずしも三脚台を必要としないように、三脚台を必要としない。後押縁は、カメラを撮影されるべき景色に向けたとき、平らな表面が水平に整準していることを確かめるため、水平方向水準器を更に含む。更に、新型のデジタルカメラ及び小型カメラ及び超小型カメラが、旧式の嵩張るＳＬＲカメラと異なり、コンパクトで薄型であるため、今日の使用者は、こうしたアダプタが非常にコンパクトでポータブルであることを希望する。幾つかの店舗で又はインターネットで見受けられる現存の機構は、煩わしく、嵩張り、及び初心者の消費者にとって十分に簡単でなく、全てについてカメラがねじ式ソケットを備えていることが必要とされている。市場の要求及びカメラ以外の様々な装置が益々高度化しているため、本発明のこの実施例が開発されることになった。これは、特に初心者及び全ての種類のカメラの使用者にターゲットを絞った非常に簡単であり且つ使用が容易な立体装置である。
【００２４】
本プロセスでは、マクロレンズ、ズームレンズ、又は広角レンズを使用できる。この立体カメラ装置は、主として、平らな表面上で早期に摺動しないようにするための滑り止めゴムコルク底部を持つベースプレートを含み、自由に配置されたカメラを適正な位置に案内するためベースプレートの後押縁上で摺動する手段を持つ摺動案内体が取り付けられている。この立体装置は、超コンパクト、薄型、高機能、及びスチル写真について使用が非常に容易であるように設計されている。
【００２５】
次に図９を参照すると、薄型の立体ベースプレート３３は、距離目盛り３４の左側の左画像撮影位置で後押縁３２に摺動自在に取り付けられた摺動案内体３１とともに使用されるようになっている。ベースプレート３３でのゴムマット又はコルクマット３５の位置がこれらの図に破線で示してある。ベースプレートの右端３６は、摺動案内体３１が設置される位置であり、摺動案内体はここから左端に摺動し、ここでは、ベースプレートの左端３７のところが閉鎖されているため、これ以上移動移動できず、そのため、摺動案内体３１は停止し、落下してしまうことがない。
【００２６】
図１０は、立体ベースプレート３３に取り付けられた後押縁３２に摺動案内体３１を右端３６を通して右画像撮影位置まで摺動する方法を示す。図１１及び図１２は、立体ベースプレート３３及び摺動案内体３１の側面図であり、摺動案内体３１を後押縁３２の周囲に装着する方法を示す。図１１及び図１２は、更に、薄いゴムマット又はコルクマット３５をプレート３３の下に装着する方法を示す。
【００２７】
図１３は、立体ベースプレート３３及び摺動案内体３１の平面図であり、摺動案内体を後押縁３２の周囲に装着する方法を示す。ゴムマット又はコルクマット３５の配置が破線で示してある。随意であるが、装置及びカメラの整準を補助するため、水準器３９をベースプレート３３の後押縁３２に取り付けてもよい。別のオプションは、装置を三脚台に取り付ける機構４０を提供することである。添付図面に示す例は、標準的なカメラのマウントのねじと適合する大きさのねじを持つ雌ねじ穴である。図１４は、カメラを設置した状態でのこの実施例の使用方法を示す側面図である。
【００２８】
図１５は、撮影されるべき対象物に使用者がカメラを差し向ける方法を示す平面図である。破線は、対象物の左画像を撮影する第１「Ｌ」位置を示す。この場合、摺動案内体３１及びカメラは、対象物の右画像を撮影するため、ベースプレート３１上で「Ｒ」位置まで一緒に摺動される。更に、カメラを直線状線型位置に保持するため、カメラを後押縁３２に及び側方からスライディングプレート３１にぴったりと当てて配置する方法を示す。「Ｌ」位置と「Ｒ」位置との間の距離は、人間の両眼の間の平均的な距離であり、これは、６５ｍｍ又はそれ以下であることが知られている。しかしながら、使用者は、最良の３Ｄ効果を得るために様々な距離で実験を行うことができる。
【００２９】
図９乃至図１５を参照し、この装置を更に詳細に説明する。平らな均等な表面上で使用するため、使用者は、先ず最初に摺動案内体３１をベースプレート３３に取り付け、次いで、例えば、ＳＬＲ、ＡＰＳ、インスタントカメラ、バカチョン（ｐｏｉｎｔ−ａｎｄ−ｓｈｏｏｔ）カメラ、使い捨てカメラ、ＰＣカメラ、又は静止画像を撮影できるカメラ等の任意のカメラをベースプレート３３上に、カメラの後側を後押縁３２に向けて及びカメラの前側を撮影されるべき対象物に向けて配置する。
【００３０】
次いで、摺動案内体３１が最も左側に位置決めされており且つカメラの後側が後押縁３２にぴったりと当てられており且つ左側が摺動案内体３１にぴったりと当てられた状態で、及び左手で立体ベースプレート３３を平らな表面に対してぴったりと保持した状態で、使用者は所期の対象物の左画像をスナップ撮影する。
【００３１】
撮影後、使用者は、立体ベースプレート３３をこのベースプレート３３が配置された平らな表面に対してぴったりと保持した状態に維持し、カメラの移動ｎを正確に直線にしながら、カメラ及び摺動案内体３１を右方に移動する。右方への距離は、カメラのレンズが所期の対象物からどれ程の距離にあるのかで決まる。レンズが３ｍ（１０フィート）又はそれ以上離れている場合には、使用者は、案内プレートを、目盛り３４上の最も右側のインジケータまで一杯に摺動する。２．１ｍ（７フィート）程度の距離については、使用者は、７フィートのインジケータを使用する。これは、更に、不履行「Ｒ」位置であり、これは、左から右まで約６５ｍｍの離間距離である。次いで、使用者は、所期の対象物の右画像をスナップ撮影を行う。
【００３２】
使用されるカメラに応じて、使用者は、写真を現像するか或いは走査し、立体対をＰＣ又はプリンターにダウンロードし、これらを３Ｄ立体対編集又はミキシングソフトウェア又はプロ用写真編集機で操作し、所望の立体視認フォーマット又はアナグリフ視認フォーマットを形成する。
【実施例３】
【００３３】
図１６乃至図３１に示すこの実施例は、ギヤ及びスイベルを使用して左右位置間を切り換える更にコンパクトであり且つ軽量のアダプタについての実施例である。図１６は、半径３．２５ｃｍを使用して６．５ｃｍの距離を移動するため、中心点「Ｃ」を中心として位置「Ｌ」から位置「Ｒ」まで点を移動する方法を示す概略図である。これは、上掲の二つの実施例の直線状経路の代わりにカメラを左位置から右位置まで移動するため、本発明について使用される半円形経路である。三脚台を中心点「Ｃ」に連結する場合、「Ｌ」位置にある点を「Ｒ」位置まで回転できる。点「Ｌ」の方向を維持するため、点自体を逆方向に１８０°回転する。
【００３４】
図１７は、スイベル式立体装置の左位置での平面図を示す。アイテム５０は、底部材プレートである。アイテム５２は中間部材プレートである。アイテム５３は頂部材プレートである。アイテム５４はボルトを回して締め付け、頂部材プレートをカメラの底部に取り付けるための機構である。アイテム５５は、随意の水平方向水準器である。
【００３５】
図１８は、随意の三脚台５６に取り付けられた、左位置のスイベル式立体装置の後面図である。図１９は、スイベル式立体アダプタの後面図及び側面図を示す。
図２０は、装置の様々な部品を示す分解図である。アイテム５０は底部材プレートである。アイテム５２は中間部材プレートである。アイテム５３は頂部材プレートである。アイテム５４はボルトを回して締め付け、頂部材プレート３２をカメラの底部に取り付けるための機構である。アイテム５５は、随意の水平方向水準器である。
【００３６】
アイテム５７は、中間プレート５２を底プレート５０に連結するため、中間プレートの中央の開口部５９を通して装着したねじ式回転ソケット５８に螺着するねじである。アイテム６０は、中間プレートの開口部を通してねじ式ソケット６１に螺着するねじである。ソケット６１もまたねじを有し、このねじは、螺着補助体５４を通過する。これは、更に、ねじ式ソケット６２を通って頂部材プレート５３に螺着する。
【００３７】
アイテム６３は、中間プレート５２、頂プレート５３、及びカメラ底部を連結する延長ボルトである。アイテム６４は、螺着補助体５４に圧力スナップ嵌めする雄押縁を示す。アイテム６５は、標準的ボルト端であり、これは、先ず最初に頂プレートに螺着された後、カメラの底部に螺着する。
【００３８】
アイテム６６は、中間部材プレートに設けられた左後開口部であり、頂プレートを右ブレーキ６７を介して所定位置に停止し、カメラを保持しており且つこのカメラを僅かに右方に押している使用者によって対象物又は景色に向かって真っ直ぐ差し向けられた状態を保持するのに役立つ。アイテム６８は、右後開口部であり、底プレート６９に設けられた右ブレーキによって、アイドルプレートが半円形の円弧を越えて右方に回転しないように停止する。
【００３９】
アイテム７０は三脚台又は一脚台に装着されるねじ式ソケットである。アイテム７１は底プレートに設けられた左ブレーキであり、中間プレート５２が半円弧を越えて左方に回転しないように停止する。アイテム７２は、頂部材プレート５３に設けられた左ストップブレーキであり、中間プレートを右方に旋回したとき、中間プレート部材に設けられた開口部上で停止する。アイテム７３及び７４は、水準器５５を頂部材プレート５３の所定の場所に保持する左右のねじである。
【００４０】
図２１はスイベル式立体アダプタの平面である。
図２２は、図２１の分解平面図である。
図２３は、３．２５ｃｍの半径を示すアダプタの平面図である。
【００４１】
図２４は、使用者が移動を行う際に、真っ直ぐ前方に向けた状態を維持しながら頂プレートを底プレートの中心を中心として回転する様子のストップモーション平面図である。
図２５は、左から右に一杯に旋回させた後のスイベル式アダプタの位置、及び真っ直ぐ前を向いた位置を維持するために中間プレート及び頂プレートをストップと衝合する方法を示す。
【００４２】
図２６は、取り付けられたカメラをスイベル式立体装置を使用して旋回し、左画像から右画像にシフトする方法を示す。
図２７は、スイベル式アダプタの大きさの二つの例を示す。一方は半径が３．２５ｃｍであり、人間の両眼の間の平均距離である６．５ｃｍの直径を可能にする。第２の例は、半径が１０ｃｍであり、遠く離れた距離からの大きな立体深さの写真を撮影することを可能にする。これは、左右の離間距離を２０ｃｍにする。中間部材プレートを短くしたり長くすることによって所望の長さを得ることができる。
【００４３】
図２８は、小さな円弧経路が左右の位置間の距離を短くする方法を示す。この場合、左右のポイント位置間の間隔は２ｃｍである。
図２９及び図３０は、スイベル式アダプタの下に装着されるスイベル式立体マクロアダプタを示す。底部材プレートと三脚台のねじとの間にぴったりと位置決めされる。図３０は、マクロアダプタ７５上に装着したスイベルプレートを示す。アイテム７６及び７７は、底部材プレートを保持するために上方に延びる左右の湾曲端である。アイテム７８及び７９は、小さな円弧の移動路を維持するために中間プレートの左右への移動を制限する、マクロアダプタに設けられた左右のストップブレーキである。アイテム８０及び８１は、頂部材プレート５３に設けられた左右のストップブレーキ８２、８３の夫々が完全なストップと衝合する領域を示す。
【００４４】
図３１は、頂部材プレートを左から右まで２ｃｍの全離間距離に亘って旋回する方法を示す。これは、撮影されるべき対象物から３０ｃｍ乃至９０ｃｍの距離から写真を撮影する上で有利である。
【００４５】
作動にあたっては、使用者は、先ず最初に底プレート５０を一脚台、三脚台５６、又は小型三脚台ボルトに取り付け、締め付ける。使用者は、次いで、頂プレート５３の螺着補助ボルト５４を使用することによって、ねじ式ソケットが設けられたカメラの底部に螺着し、水準器５５が配置された場所にカメラの後側と平行になるようにぴったりと固定する。これが行われた後、カメラをスイベル式立体装置に取り付け、この立体装置を三脚台に取り付ける。水準器５５及び三脚台５６を使用する場合、三脚台を調節することによってカメラを水平で正確に整準できる。
【００４６】
使用者は、次いで、例えば、カメラを保持してこれを半円形経路で後方左方に移動することによってカメラを左位置まで旋回する。ストップと衝合したとき、逆の回転方向で１８０°回転するときにカメラを右側に向かって旋回し、直線左停止位置に置く。装置、三脚台、及びカメラレンズを撮影されるべき景色に向けたとき、使用者は図２５に示すように左画像を撮影する。
【００４７】
次いで、使用者は、カメラを保持してこれを後方及び左方に半円形移動で移動することによってカメラを右位置まで旋回する。ストップと衝合したとき、使用者はカメラを右側に向かって旋回し、直線右ストップ位置に置き、次いで右画像ショットを撮影する。勿論、使用者は、右ショットの前に左ショットを又はその逆で撮影するように選択できる。
【００４８】
使用者がクローズアップショットを撮影しようとする場合、図２９に示すマクロアダプタを使用するのがベストである。マクロアダプタは、底プレートと三脚台との間に配置される。次いで、小さい円弧で旋回が行われることを除き、上文中に説明したのと同じ工程を繰り返す。
【００４９】
使用者は、次いで、画像の立体対をコンピュータ又はプリンターで加工、走査、又はダウンロードを行うことができ、これら３Ｄ立体編集又はミキシングソフトウェア又はプロ用写真編集機で操作し、所望の立体視認フォーマット又はアナグリフ視認フォーマットを形成する。
【００５０】
現在好ましいと考えられている本発明の実施例を説明したが、本発明から逸脱することなく、様々な変形及び変更を行うことができるということは当業者には明らかであろう。従って、本発明の真の精神及び範囲内のこれらの変形及び変更の全てを含もうとするものである。
【図面の簡単な説明】
【００５１】
【図１】案内軌道に装着する準備ができた摺動プレートを示す図である。
【図２】案内軌道上で左不履行位置にある、係止円筒体を右手の親指及び人指し指で手早く捻ることによって係止される前の摺動プレートを示す図である。
【図３】カメラの底部に取り付けるための標準的三脚台様ボルトを持つ、案内軌道の係止円筒体の下に容易に嵌まるように前側が賦形された、スライディングプレートの図である。
【図４】スライディングプレート及びボルトの図である。
【図５】個々に硬貨ねじ機構として示すボルト機構の一例が設けられたスライディングプレートの下側の図である。
【図６】カメラの下側が取り付けられるボルト頂部が見える、スライディングプレートの平面図である。
【図７】様々な部品を案内軌道に互いに装着する方法を示す図である。
【図８】汎用立体デジタルカメラアダプタを、デジタルカメラが左位置で左写真を撮影し、デジタル画像をデジタルカメラに記録した後の右位置に取り付けられた状態で示す、図である。
【図９】本図及び以下の図は本発明の別の実施例を示す。本図では、薄型立体ベースプレートが、後押縁に設けられた摺動案内体とともにいつでも使用できる状態にあり、摺動案内体は、距離目盛りの左側の左画像撮影位置にある図である。
【図１０】摺動案内体を後押縁に嵌め、立体ベースプレートに右端を通して及び右画像撮影位置に取り付ける方法を示す図である。
【図１１】摺動案内体を後押縁に取り付ける方法を示す、立体ベースプレート及び摺動案内体の側面図である。
【図１２】構成要素が組み立てられていることを除き、図１１と同様の側面図である。
【図１３】摺動案内体を後押縁に取り付ける方法を示す、立体ベースプレートの平面図である。
【図１４】サンプルカメラを立体装置に配置する方法を示す側面図である。
【図１５】撮影されるべき対象物に向かって使用者がカメラを差し向ける方法を示す図である。
【図１６】ポイントを中心点「Ｃ」を中心として位置「Ｌ」から位置「Ｒ」まで移動し、３．２５ｃｍの半径を使用して６．５ｃｍの距離を移動する方法を示す図である。
【図１７】スイベル式立体装置の左位置での平面図である。
【図１８】サンプル三脚台に取り付けられたスイベル式立体装置の左位置での後面図である。
【図１９】装置の後面図及び側面図である。
【図２０】スイベル式立体装置を形成する様々な部品の分解図である。
【図２１】スイベル式立体アダプタの平面図である。
【図２２】図２１の分解平面図である。
【図２３】３．２５ｃｍの半径を示す、アダプタの平面図である。
【図２４】真っ直ぐ前方を向いた配向を維持しながら底プレートの中心を中心として頂プレートを回転する方法を示すストップモーション平面図である。
【図２５】左から右に一杯に旋回させた後のスイベル式アダプタの位置、及び真っ直ぐ前を向いた位置を維持するために中間プレート及び頂プレートをストップと衝合する方法を示す図である。
【図２６】取り付けられたカメラをスイベル式立体装置を使用して旋回し、左画像から右画像にシフトする方法を示す図である。
【図２７】スイベル式アダプタの大きさの二つの例を示す図である。
【図２８】小さな円弧経路が左右の位置間に短い距離を形成する方法を示す概略図である。
【図２９】スイベル式アダプタの下に装着されるスイベル式立体マクロアダプタを示す図である。
【図３０】スイベル式アダプタの下に装着されるスイベル式立体マクロアダプタを示す図である。
【図３１】頂部材プレートが左から右まで２ｃｍの全離間距離に亘って旋回する方法を示す図である。
【符号の説明】
【００５２】
１  摺動プレート
２  ねじ
３  案内軌道
４  迅速係止円筒体
５  円筒体のノッチ
６  固定ノッチ
７  円筒体のノッチ
８  固定ノッチ
９  案内軌道隅部
１０  整準ジャッキ
１１  不履行左位置印
１２  不履行右位置印
１３  案内軌道の中央後開口部
１４  スライディングプレート後部分
１５  水準器ソケット
１６  水準器
１７  スライディングプレート前リップ
１８  左窪み
１９  右窪み
２０  係止円筒体後側
２１  係止円筒体下前側
２２  案内軌道左右側
２３  摺動案内体
２４  後押縁
３１  摺動案内体
３２  後押縁
３３  ベースプレート
３４  距離目盛り
３５  ゴム又はコルク製のマット
３６  ベースプレート右端
３７  ベースプレート左端
３９  水準器
４０  三脚台取り付け機構
５０  底部材プレート
５２  中間部材プレート
５３  頂部材プレート
５４  ファスニング機構
５５  水準器
５６  三脚台
５７  中間プレートねじ
５８  ねじ式回転ソケット
５９  中間プレート開口部
６０  頂部材ねじ
６１  ねじ式ソケット
６２  ねじ式ソケット
６３  延長ボルト
６４  雄押縁
６５  標準的ボルト
６６  中間部材プレートの左後開口部
６７  右ブレーキ
６８  右後開口部
６９  底プレートの右ブレーキ
７０  ねじ式三脚台ソケット
７１  底プレートの左ブレーキ
７２  頂部材プレートの左ストップブレーキ
７３  左水準器ねじ
７４  右水準器ねじ
７５  マクロアダプタ
７６  右湾曲端
７７  左湾曲端
７８  左マクロアダプタストップブレーキ
７９  右マクロアダプタストップブレーキ
８０  左ストップブレーキ領域
８１  右ストップブレーキ領域
８２  左頂部材プレートストップブレーキ
８３  右頂部材プレートストップブレーキ
【図１】
2006518156.tif 000003
【図２】
2006518156.tif 000004
【図３】
2006518156.tif 000005
【図４】
2006518156.tif 000006
【図５】
2006518156.tif 000007
【図６】
2006518156.tif 000008
【図７】
2006518156.tif 000009
【図８】
2006518156.tif 000010
【図９】
2006518156.tif 000011
【図１０】
2006518156.tif 000012
【図１１】
2006518156.tif 000013
【図１２】
2006518156.tif 000014
【図１３】
2006518156.tif 000015
【図１４】
2006518156.tif 000016
【図１５】
2006518156.tif 000017
【図１６】
2006518156.tif 000018
【図１７】
2006518156.tif 000019
【図１８】
2006518156.tif 000020
【図１９】
2006518156.tif 000021
【図２０】
2006518156.tif 000022
【図２１】
2006518156.tif 000023
【図２２】
2006518156.tif 000024
【図２３】
2006518156.tif 000025
【図２４】
2006518156.tif 000026
【図２５】
2006518156.tif 000027
【図２６】
2006518156.tif 000028
【図２７】
2006518156.tif 000029
【図２８】
2006518156.tif 000030
【図２９】
2006518156.tif 000031
【図３０】
2006518156.tif 000032
【図３１】
2006518156.tif 000033
【国際調査報告】
2006518156.tif 000034